(57)【要約】【課題】小物洗濯物干しハンガーは小物洗濯物の天日干しにはコンパクトで便利であったが、花粉の時期になると天日干し中に花粉の付着による健康障害、害虫の付着による不快臭の付着、そして人目にふれやすく下着類の盗難などの欠点があった。【解決手段】小物洗濯物干しハンガーに、静電気防止処理済のメッシュクロスで小物洗濯物が隠れる長さで洗濯物保護カバーを作成し、ハンガーフックのところで塞ぎ固定し、メッシュクロスカバーを洗濯物干しクリップから下方を二等分する位置でカットし、洗濯物の取扱いが容易に出来るファスナーを取付けメッシュクロスの垂れ下がり部末端に風によるメッシュクロスまくれ上がり防止用おもりを取付ける。【選択図】図１
2011062510.tif 000002
【特許請求の範囲】
【請求項１】
小物洗濯物干しハンガー（1）の上部ハンガーフック（２）から、かぶせるように風通しのよい静電気防止処理済メッシュクロス（３）を小物洗濯物が隠れる長さで筒状に形成し、上部ハンガーフック（２）のところで、上部開口部（４）を塞ぎ固定出来る余裕をもたせ、小物洗濯物干しハンガー（１）の物干しクリップ枠（５）を二等分する中央部（６）あたりから対角に下への垂れ下り部を開いてめくり上げやすいようにカットし（７）し、開閉自由となるファスナー（８）を取付けた小物洗濯物干しハンガー用洗濯物保護カバー。
【請求項２】
請求項１記載のメッシュクロス（３）の物干しクリップ枠（５）の垂れ下り部末端（９）に、風の影響によるメッシュまくれ上がり防止用のおもり（１１）を取付ける。
【発明の詳細な説明】
【技術分野】
【０００１】
本発明は小物洗濯物干しハンガー用洗濯物保護カバーに関するものである。
【背景技術】
【０００２】
洗濯物干しハンガーにかぶせて、にわか雨や埃から洗濯物を保護するカバーがあった。洗濯物が人目にふれず、天日干しが出来るなど洗濯物を保護するためのカバーとしては実用上十分であった。
【０００３】
しかし、この洗濯物干しハンガーに被せるカバーは平面カバーであるため骨格リングを付け、洗濯物干し時ハンガーにカバーを固定し、裾部に装置を取付けるなど別に装置が必要であり、雨や埃から洗濯物を守るための防水性のカバーでは通気性が悪く洗濯物の乾燥に時間がかかりすぎると言う欠点がある。
【０００４】
平面カバーであるため骨格リングを付け、防水性のカバーであることは、洗濯物の乾燥の仕上がりにおいて、大きな欠点となる。この欠点は大きな障害であり、具体的には平面カバーであるため骨格リングが必要であり、未使用時に折りたためず場所だけ取ることとなり、又、防水性カバーであることは乾燥を遅らせるだけではなく、せっかくのカバーなのに洗濯物干し時に抱える花粉の付着等、諸問題に対し有効性が無いなどの問題があった。
【０００５】
この改善策として、洗濯物を干している間は洗濯物を守る役目を持つカバー簡単に取付けが出来、着脱不要で洗濯物干し時および取入れ時は洗濯物のクリップ止めが従来通り簡単に取扱え、自然環境の中で洗濯物をしっかりカバーし取扱い易い生地使用する必要があるが、厚地になると通気性が悪くなり十分に乾燥できなくなり、薄地にすると風でまくれ上がるためカバーの役目がなくなる。
【先行技術文献】
【特許文献】
【０００６】
【特許文献１】特開２００５−３１９３１７号公報
【発明の概要】
【発明が解決しようとする課題】
【０００７】
解決しようとする問題点は、小物洗濯物干しハンガーに被せるカバーは骨格リングがあり、ハンガーに固定し、裾に装置を取付けるなど別に装置が必要であり、洗濯物保護カバーが自然環境のなかで洗濯物乾燥時に受ける影響を問題として対応していない点である。
【課題を解決するための手段】
【０００８】
本発明は、小物洗濯物干しハンガー（１）の上部ハンガーフック（２）から、被せるように静電気防止処理済みの風通しのよいメッシュクロス（３）を小物洗濯物が隠れる長さで筒状に形成し、上部ハンガーフック（２）で、上部開口部（４）を塞ぎ固定出来る余裕をもたせ、小物洗濯物干しハンガー（１）の物干しクリップ枠（５）を二等分する中央（６）あたりから対角に２箇所の部位で下への垂れ下り部を開いてめくり上げやすいようにカットし（７）し、そのカット部（７）にメッシュクロス（３）が開閉自由となるファスナー（８）を取付け、垂れ下り部末端（９）に風の発生時にメッシュクロスカバーまくれ上がり防止対策のおもりを挿入する筒状（１０）を形成し、その中におもり（１１）を挿入し小物洗濯物保護カバーを小物洗濯物干しハンガーの上から被せ、上部ハンガーフック（２）の直下を塞ぎ固定（１２）する。以上の構造を特徴とする小物洗濯物干しハンガー用洗濯物保護カバー。
【発明の効果】
【０００９】
本発明の小物洗濯物干しハンガー用静電気防止処理済み洗濯物保護カバーは、小物洗濯物干しハンガーの上から被せ、上部ハンガーフックのところで塞ぎ固定して保護カバー側面のファスナーを開き、垂れ下りカバー部を上に上げ従来通りに洗濯物を吊るした後、保護カバーを下げて側面ファスナーを閉じ屋外で乾燥させる。静電気防止処理済み保護カバーにより健康障害の元となる花粉の付着防止、害虫の侵入による不快臭の防止、小物洗濯物干しハンガーを複数個並べて干しても風によるハンガー同士のからみも無く、保護カバーまくれ上がり防止用おもりにより、風で保護カバーがまくれ上がる事無く天日乾燥中は保護カバーが、しっかり洗濯物を保護する効果があり、課題改善を実現した。
【図面の簡単な説明】
【００１０】
【図１】図１は小物洗濯物干しハンガーに洗濯物保護カバーを取付け、一部を切り欠いた全体斜視図である。（実施例１）
【図２】図２は保護カバーの裾に保護カバーまくれ上がり防止用おもりを挿入した斜視拡大図である。（実施例２）
【図３】図３は保護カバーの角部縦方向下部四隅半分に保護カバーまくれ上がり防止用おもりを挿入した斜視拡大図である。（実施例３）
【図４】図４保護カバーの縦方向四隅に着脱な保護カバーまくれ上がり防止用おもりをはさみ付けた斜視拡大図である。（実地例４）
【発明を実施するための形態】
【００１１】
小物洗濯物干しハンガー（１）に静電気防止処理済の風通しのよいメッシュクロス（３）を小物洗濯が隠れる長さで筒状に形成し、そのメッシュクロス筒の上部ハンガーフック（２）で上部開口部（４）を塞ぎ固定出来る余裕を持たせ、小物洗濯物干しハンガー（１）の物干しクリップ枠（５）を二等分する中央部（６）あたりから対角に２箇所の部位で、下への垂れ下り部を開いてめくり上げやすいようにカット（７）し、そのカット部（７）にメッシュクロス（３）が開閉自由となるファスナー（８）を取付け物干しクリップ枠（５）の垂れ下り部末端（９）に風の発生時にメッシュクロスカバーのまくれ上がり防止用のおもり挿入する筒状（１０）を形成し、その中にメッシュクロスまくれ上がり防止用おもり（１１）を挿入する。洗濯物を干す時はファスナーを開放してメッシュクロスカバーを上に上げて洗濯物を吊し、吊し終わった後はメッシュクロスカバーを下ろし、ファスナーを閉じて洗濯物を保護しながら天日干し乾燥する。洗濯物取入れ時はファスナーを開放してメッシュクロスカバーを上に上げて洗濯物を取込む。メッシュクロスカバーが洗濯物の取扱いの妨げになる事はなく、洗濯物を天日干ししている間も洗濯物が人目にふれず、メッシュクロスカバーまくれ上がり防止用おもりにより風の影響を受けてメッシュクロスカバーがまくれ上がる事無く洗濯物を保護し静電気防止処理済のメッシュクロスカバーに花粉の付着による健康障害も防止、害虫の侵入防止により不快臭の付着も防止出来、さらに下着類の盗難なども無くなり課題改善を実現した。
【実施例１】
【００１２】
図１は、本発明の１実施例の一部を切り欠いた斜視図であって、小物洗濯物干しハンガーに洗濯物保護カバーを取付けた全体図であり、小物洗濯物干しハンガーに洗濯物保護カバーを被せ、上部ハンガーフックの直下で塞ぎ固定し、物干しクリップ枠を二等分する中央から下部に垂れた方向に取付けたファスナーを開放して洗濯物保護カバー開き上にめくり上げて、洗濯物を吊す。吊した後は保護カバーを下ろしファスナーを閉じ洗濯物を保護した状態で干す。干している間に風があってもカバー末端に挿入したおもりによりカバーがまくれ上がる事無く洗濯物を保護できる。洗濯物を外す時はファスナーを開き、保護カバーを上にめくり上げて洗濯物を取込む。天日干し中は静電気防止処理済保護カバーで花粉の付着を防止し、害虫付着による不快臭の付着も防止、小物洗濯物干しハンガーを複数個使用しても風でからむことなく、さらには下着類が人目にふれない為下着の盗難が無くなり課題改善を実現した。
【実施例２】
【００１３】
図２は本発明の小物洗濯物干しハンガー用保護カバーのまくれ上がり防止用おもりを保護カバーの裾面に挿入した部位拡大斜視図である。
【実施例３】
【００１４】
図３は本発明の小物洗濯物干しハンガー用保護カバーのまくれ上がり防止用おもりを保護カバーの四隅縦下部半分に挿入した部位拡大斜視図である。
【実施例４】
【００１５】
図４は本発明の小物洗濯物干しハンガー用保護カバーのまくれ上がり防止用おもりを着脱式とし、保護カバーの四隅にはさみ取付けた部位拡大斜視図である。
【符号の説明】
【００１６】
１    小物洗濯物干しハンガー
２    ハンガーフック
３    メッシュクロス
４    上部開口部
５    物干しクリップ
６     二等分する中央部
７    めくり上げ用カット
８    開閉用ファスナー
９    垂れ下り部末端
１０    まくれ上がり防止おもり用筒
１１    まくれ上がり防止おもり
１２    塞ぎ固定口
１３    物干しクリップ
１４    着脱用おもり
【図１】
2011062510.tif 000003
【図２】
2011062510.tif 000004
【図３】
2011062510.tif 000005
【図４】
2011062510.tif 000006